(57)【要約】【課題】  釣人がルアーを格別に細かく動かさなくても魚とルアーとの相対位置が変化することによって、恰もルアーが移動したように魚が錯覚し、魚がルアーに飛付いて引っ掛かるようにしたルアーを提供する。【解決手段】  レンチキュラーレンズ１面の裏面にレンチキュラーレンズのライン幅Ｗ１より狭い幅Ｗ２でレンチキュラーレンズの長手方向に延びる遮蔽縞２が形成されており、レンチキュラーレンズの裏面に遮蔽縞を挟んでフィルム３が設けられてレンチキュラーレンズ板が形成されており、レンチキュラーレンズ板１０がレンチキュラーレンズを外向きとしてルアー表面に設けられている。【選択図】    図３
0003133684.tif 000002
【実用新案登録請求の範囲】
【請求項１】
レンチキュラーレンズ面の裏面に該レンチキュラーレンズのライン幅より狭い幅で該レンチキュラーレンズの長手方向に延びる遮蔽縞が形成されており、前記レンチキュラーレンズの裏面に該遮蔽縞を挟んで反射フィルムが設けられてレンチキュラーレンズ板が形成されており、該レンチキュラーレンズ板が前記レンチキュラーレンズを外向きとしてルアー表面に設けたことを特徴とするルアー。
【請求項２】
前記遮蔽縞が前記反射フィルムからの反射光を遮蔽するように着色されていることを特徴とする請求項１に記載のルアー。
【請求項３】
前記反射フィルムがホログラムフィルムであることを特徴とする請求項１または２に記載のルアー。
【請求項４】
前記反射フィルムの表面に蛍光インクが塗布されていることを特徴とする請求項１または２に記載のルアー。
【請求項５】
前記反射フィルムの表面に畜光インクが塗布されていることを特徴とする請求項１または２に記載のルアー。
【請求項６】
前記レンチキュラーレンズ板がルアーの目玉部に設けられていることを特徴とする請求項１〜５の何れか１項に記載のルアー。
【請求項７】
前記レンチキュラーレンズ板がルアーの本体に設けられていることを特徴とする請求項１〜５の何れか１項に記載のルアー。
【請求項８】
前記レンチキュラーレンズ板がルアーのスカート部に用いられていることを特徴とする請求項１〜５の何れか１項に記載のルアー。
【請求項９】
レンチキュラーレンズ面の裏面に該レンチキュラーレンズのライン幅より狭い幅で該レンチキュラーレンズの長手方向に延びる遮蔽縞が形成されており、遮蔽縞と遮蔽縞の間に明るい色、蛍光色、または畜光インクが印刷されていることを特徴とするルアー。
【考案の詳細な説明】
【技術分野】
【０００１】
本考案はルアーに関する。より詳しくは本考案はカジキ、マグロ、カツオ、サワラ、イカなどのトローリング用ルアーや種々の魚の釣りに用いるルアー（疑似餌）に関する。
【背景技術】
【０００２】
従来からルアーを用いて釣りをすることが行われている。この場合、釣人はルアー（疑似餌）を微妙に動かしてあたかも疑似餌ではなく実際の魚が泳いでいるように見せて、これにより目的とする魚がこのルアーに食い付くのを待って釣り上げるようにしている。このため、魚がうまく釣れるかどうかはルアーを如何に実物の餌と似た状態で動かせるかの技量にかかっている。しかしながら、このようにルアーを常時動かしていることは釣人にとってもかなりの負担となっている。また、魚はルアーの動きになれてしまうため、常に新しい漁具を研究・開発し続ける必要がある。
【考案の開示】
【考案が解決しようとする課題】
【０００３】
このような点に鑑みて、特許文献１（実公平８−８６１０号公報）には、ヘッドを有するルアー本体のヘッドの後側に露呈させてラトルボールを収容した容器を設けると共に、ルアー本体に柔軟性を有する多数のスカート体を設けてスカート体で容器を包囲するようにしたことを特徴とするルアーが開示されている。
【０００４】
また、特許文献２（特許第３１５１６００号公報）には、一対の透明ないし半透明の素材からなる半割りのルアー部材を内部が中空となる間隔をもって貼り合わせてなるルアーにおいて、半割りのルアー部材で構成する中空部分の内部に、ルアー部材とは別に作製したラトルブースを取り付け、このラトルブース内にラトルを収納したことを特徴とするルアーが開示されている。
【０００５】
特許文献３（特開平１１−７５６２８号公報）には、透明な材質からなる本体内に空間を形成し、空間内に光を反射する小片を液体と共に封入して小片を空間内において移動自在にしたことを特徴とする魚誘引具が提案されている。
【０００６】
特許文献４（特許第３２３０９６８号公報）には、光を反射する微小な凹凸面を物品の表面に形成し、凹凸面上に光の干渉を生じ得る厚さの透明層を形成して表面を滑らかにし、滑らかな表面上に透明層とは異なる材料の、光の干渉を生じ得る厚さの透明被膜を形成したことを特徴とする干渉被膜を有する物品が提案されている。
【０００７】
特許文献１および特許文献２に開示されているルアーは、音を発するラトルをルアー内に収納することによってルアーの移動に伴い音を発して魚を誘引するようにしているものである。従って、このようなものではやはり音を発するためにはルアーを従来のルアーと同様に微妙に動かさなければ音が生じず、上述したように、釣人にとってルアーを細かく動かすのが苦痛であり、且つ面倒であるという問題点を解消することはできない。
【０００８】
一方、特許文献３においては、本体の移動や回転に伴って本体内の反射体が移動し、反射光が変化するようにしているが、このものにあっても本体の移動や回転を行わせるためには従来と同様に釣人がルアーを操作する必要があり、やはり前述した問題は解消されていない。
【０００９】
特許文献４においては、光の干渉を利用しているために干渉が起こる位置が限られており、ルアーが魚と所定の位置にない場合には所望の効果は奏することができない。
【００１０】
上述したような従来技術に付随する問題点に鑑みて、本考案は釣人がルアーを格別に細かく動かさなくても魚とルアーとの相対位置が変化することによって、恰もルアーが移動したように魚が錯覚し、魚がルアーに飛付いて引っ掛かるようにしたルアーを提供することを目的とする。
【００１１】
更に、本考案においては、従来のルアーにはなかったルアーからの反射光を瞬時に消えるようにして、あたかも餌の魚（ルアー）が逃げたような状況を作り出して、魚の捕食スイッチがオンされることを狙うものである。
【特許文献１】実公平８−８６１０号公報
【特許文献２】特許第３１５１６００号公報
【特許文献３】特開平１１−７５６２８号公報
【特許文献４】特許第３２３０９６８号公報
【課題を解決するための手段】
【００１２】
本考案においては、上記の目的をレンチキュラーレンズ面の裏面に該レンチキュラーレンズのライン幅より狭い幅で該レンチキュラーレンズの長手方向に延びる遮蔽縞が形成されており、前記レンチキュラーレンズの裏面に該遮蔽縞を挟んで反射フィルムが設けられてレンチキュラーレンズ板が形成されており、該レンチキュラーレンズ板が前記レンチキュラーレンズを外向きとしてルアー表面に設けたことを特徴とするルアーにより達成する。
【００１３】
この場合に、遮蔽縞が反射フィルムからの反射光を遮蔽するように、例えば黒色または群青色に着色されていることが好ましい。また、裏面に貼る反射フィルムはホログラムフィルム、蛍光インクが塗布されているフィルム、もしくは畜光インクが塗布されているフィルムとすることが好ましい。
【００１４】
更に、本考案には、レンチキュラーレンズ面の裏面に上述の遮蔽縞を印刷したものも含むものである。この構成とするとレンチキュラーレンズ板が安価に製造できる。
【００１５】
本考案においては、上述のようにして形成したレンチキュラーレンズ板をルアーの表面部に形成するものである。形成の仕方はレンチキュラーレンズ板をルアーの表面に接着によって取付けてもよいし、またはルアー成型時にインジェクションモールディングで作ってもよい。この場合に、レンチキュラーレンズの表面が外側を向くようにすることが重要である。また、ルアーが目のような部分（目玉部）を有している場合には、本考案のレンチキュラーレンズ板はこの目玉部にレンチキュラーレンズ板を設けることが好ましい。また、それとは別にルアーの本体の表面に適宜レンチキュラーレンズ板を設けてもよく、更に、ルアーの本体内部のインサートプレートもしくはリップのような本体パーツをレンチキュラーレンズ板としてもよい。
【００１６】
レンチキュラーレンズ板が柔軟性を有する場合には、ルアーのスカート部に使用してもよい。
【考案の効果】
【００１７】
本考案においては、レンチキュラーレンズ面の裏面にレンチキュラーレンズのライン幅（レンチキュラーレンズの横方向の間隔）より狭い幅でレンチキュラーレンズの長手方向に延びる遮蔽縞が形成されている。このため、レンチキュラーレンズの表側から見た場合に、その見る位置によって遮蔽縞が見えたり、遮蔽縞の間の隙間から下側が見えたりする。レンチキュラーレンズと反対側の面には遮蔽縞を挟んでフィルムが設けられているために、このフィルムの表面が見えたり遮蔽縞が見えたりする。
【００１８】
本考案のルアーによれば、反射フィルムからの反射光と遮蔽縞による反射光の遮蔽とにより明滅して餌（ルアー）が逃げるような状況を呈し、魚の捕食スイッチをオンさせる効果を奏することが期待される。
【００１９】
従って、レンチキュラーレンズの表側から、このレンチキュラーレンズ板を見た魚は餌になる疑似餌が恰も動いているように錯覚し、飛び付いてこの疑似餌に引っ掛かることになる。従って、釣人は従来のルアーのように常時ルアーを微妙に微小運動させなくても、魚が飛びつき釣ることができる。
【００２０】
そして本考案の遮蔽縞の黒または群青色をしている場合には、遮蔽縞と他の箇所との間の変化が極めて大きいために、魚に対する効果（魚の捕食スイッチをオンさせる効果、魚が釣れる効果）も非常に大きい。
【００２１】
また、裏面に貼るフィルムがホログラムフィルムである場合には、遮蔽縞の隙間を通して見えたホログラムが微妙に変化するために、魚の捕食スイッチをオンさせる効果が増大させ、更に疑似餌が動いているような効果を増加させることができる。
【００２２】
また、裏面の反射フィルムの表面に蛍光インクが塗布されている場合には、遮蔽縞の隙間を通して蛍光インクの光が魚の目に入り、この場合もやはり海の中がかなり暗くても魚の捕食スイッチをオンさせる効果および魚が泳いでいるような効果を奏することができる。同様にフィルムの表面に畜光インクが塗布されている場合には、暗い場合にも、その前に当たった光によって畜光された光が発光されるため、同様に魚の捕食スイッチがオンされ、また、魚が疑似餌が泳いでいるものと錯覚して飛び付くことになり、うまく魚を釣ることができる。
【００２３】
なお、レンチキュラーレンズの裏面に遮蔽縞を印刷し反射フィルムを設けないものでは、レンチキュラーレンズを通して遮蔽縞とその間が見え、上述したのと同様の効果が奏される。
【考案を実施するための最良の形態】
【００２４】
図１は本考案に係るレンチキュラーレンズ板の拡大断面図である。公知のようにレンチキュラーレンズは一名かまぼこレンズとも言われ、ＰＥＴ（ポリエチレンテレフタレート）等の合成樹脂製のかまぼこ状断面をし、長手方向（図１の紙面に垂直な方向）に延びるレンチキュラーレンズ１が多数隣接して形成されている。本考案においては、このレンチキュラーレンズ１の裏面に黒または群青色の遮蔽縞２を形成して、反射フィルムからの反射光を遮蔽するようにしている。この遮蔽縞２の幅Ｗ２はレンチキュラーレンズのライン幅（断面方向の幅Ｗ１）よりも狭くする。すなわち、隣り合う遮蔽縞２の間には遮蔽されない部分が形成されるようにしている。そしてこの遮蔽縞２はレンチキュラーレンズ１のレンズ位置を合わせるようにして形成されている。
【００２５】
更に、このレンチキュラーレンズ１の遮蔽縞２を挟んで下側には合成樹脂製の反射フィルム３が設けられている。
【００２６】
この反射フィルム３は好ましくは接着などによって設けられており、この反射フィルム３としては透明フィルムでもよいが、好ましくはホログラムフィルムまたは表面に蛍光インクもしくは畜光インクが塗られたフィルムとする。このようにして本考案のレンチキュラーレンズ板１０が構成され、レンズ１の外側から見た場合には図３に示すように（図３（ａ）参照）、目の位置によってレンチキュラーレンズ１を通して遮蔽縞２が見え、従って黒く見える場合（図３（ｂ）参照）と、またその見る位置によって遮蔽縞２ではなく、遮蔽縞の間の隙間が見え、それによって遮蔽縞の下のフィルム３が見える状態（図３（ｃ）参照）となる。この状態が魚Ｆとレンチキュラーレンズ１の相対位置によって時々刻々変化するため、反射フィルムからの反射光と遮蔽縞による反射光の遮蔽とにより明滅して餌（ルアー）が逃げるような状況を呈し、魚の捕食スイッチをオンさせる効果を奏することが期待され、魚Ｆは恰もレンチキュラーレンズが泳いでいる餌と錯覚し飛び付くこととなる。
【００２７】
本考案のレンチキュラーレンズ板１０は、従来のルアーと同様に、ヘッドに目玉部２１が形成されている場合には、この目玉部２１に、図２（ａ）に示すように、レンチキュラーレンズ板１０を円形とか楕円形または長方形などと適宜な形状としたものを接着またはインジェクションモールディングによって取付ければよい。他の方法として図２（ｂ）に示すように、ルアーの表面にレンチキュラーレンズ板を適宜接着、インジェクションモールディングなどにより固定２２してもよい。更に、ルアーの本体内部のインサートプレートもしくはリップのような本体パーツをレンチキュラーレンズ板としてもよい。
【００２８】
レンチキュラーレンズは板状の剛体のものでもよいが、柔軟性を有するものでもよい。この場合は大物用ルアーのスカートなどに利用することができる。
【図面の簡単な説明】
【００２９】
【図１】本考案に係るレンチキュラーレンズ板の拡大断面図である。
【図２】レンチキュラーレンズ板を取着した本考案に係るルアーの斜視図であり、（ａ）は本体の目玉部にレンチキュラーレンズ板を取付けたものであり、（ｂ）はルアー本体の外周表面に適宜レンチキュラーレンズ板を取付けたものである。
【図３】本考案に係るルアーの作用状態を説明する断面図である。
【符号の説明】
【００３０】
１  レンチキュラーレンズ
２  遮蔽縞
３  フィルム
１０  レンチキュラーレンズ板
２０  ルアー
２１  目玉部
２２  ルアー本体
Ｗ１  レンチキュラーレンズのライン幅
Ｗ２  遮蔽縞の幅
【図１】
0003133684.tif 000003
【図２】
0003133684.tif 000004
【図３】
0003133684.tif 000005